(57)【要約】【課題】地面に載せられている翼板が安定した支持効果を実現する翼板型基礎構造を提供する。【解決手段】翼板型基礎構造１００は、翼板１０、積載部２０、ほぞ３０を備える。ほぞ３０は、積載部２０の所定高さに設けられ、積載部２０の周囲に水平方向に突出する。翼板１０は地面に対して水平に設置される。積載部２０は翼板１０に直立に貫通し、且つほぞ３０を通して翼板１０に載せられるため、翼板１０によって積載部２０が積載荷重を載せるときの安定性を提供する。【選択図】図１
0003224625.tif 000002
【実用新案登録請求の範囲】
【請求項１】
積載部と、連結部と、翼板と、を備える翼板型基礎構造であって、
前記連結部は、前記積載部の所定高さに設けられ、前記積載部の周囲に水平方向に突出し、
前記翼板は、地面に対して水平に設置され、前記積載部が前記翼板を直立に貫通し、
前記積載部は、前記連結部を通して前記翼板に載せられて支持され、前記翼板によって前記積載部が積載荷重を載せるときの安定性を提供することを特徴とする、
翼板型基礎構造。
【請求項２】
前記翼板には挿入穴が設けられ、前記積載部の断面輪郭は前記挿入穴の内輪郭に対応し、前記積載部の断面幅は前記挿入穴の直径に対応し、前記積載部は前記挿入穴を貫入して地面に埋め込まれることを特徴とする請求項１に記載の翼板型基礎構造。
【請求項３】
前記連結部はほぞであり、前記積載部の前記所定高さには、前記ほぞに対応するほぞ穴が設けられ、前記ほぞは前記ほぞ穴に連結されて前記翼板に載せられることを特徴とする請求項２に記載の翼板型基礎構造。
【請求項４】
前記ほぞは円柱状であり、前記ほぞ穴は円柱穴状であることを特徴とする請求項３に記載の翼板型基礎構造。
【請求項５】
前記ほぞが、複数個設けられることを特徴とする請求項３に記載の翼板型基礎構造。
【請求項６】
前記連結部は、前記積載部の前記所定高さに挿入される鉄筋であり、前記翼板は、前記鉄筋の挿入、配筋、型枠、グラウト充填の工程を経て、所定高さに成形され、前記鉄筋は、前記翼板が成形されるとともに、前記翼板内に結合され、これによって前記積載部は前記鉄筋を通して前記翼板に支えられることを特徴とする請求項１に記載の翼板型基礎構造。
【請求項７】
前記積載部は鉄筋コンクリート製の杭であることを特徴とする請求項１に記載の翼板型基礎構造。
【請求項８】
前記積載部は鉄筋コンクリート製の架台であることを特徴とする請求項１に記載の翼板型基礎構造。
【考案の詳細な説明】
【技術分野】
【０００１】
本考案は、基礎構造に関し、特に翼板を用いて積載部を安定して支持する翼板型基礎構造を提供する。
【背景技術】
【０００２】
地上構造（例えば、ソーラーパネルシステムを支える支持架台）を設ける際、設置場所の地盤が不安定な場合（例えば、地盤が柔らかくて陥没が発生しやすい場合）には、基礎の安定性を高めるために、通常は基礎構造が設置され、地上構造の安定性を向上させる。よく見られる基礎構造は、杭を一定の深さまで打ち込んで、地上構造の重量と積載荷重を支える。しかし、一般の杭は長柱状であるゆえに、地面に打ち込まれるとき、地面上で重量を支える断面積が不十分であって滑動する恐れがあり、地上構造を安定的に支える効果を発揮するのが難しい。しかも、十分な安定性を提供するために、従来の杭は長いか又は太いものでなければならないので、生産または輸送する際にかかるコストが高く、例えば、１２メートルの杭を現地に搬入するのはかなり困難である。従来の架台にも同じような問題があり、これが、本考案が解決すべき課題となっている。
【先行技術文献】
【特許文献】
【０００３】
【特許文献１】台湾特開第２０１９３２６８７号
【考案の概要】
【考案が解決しようとする課題】
【０００４】
本考案は、積載部が地下の予定深さに埋め込まれる際、地面に載せられている翼板が安定した支持効果を実現する翼板型基礎構造を提供することを目的とする。
【課題を解決するための手段】
【０００５】
本考案による翼板型基礎構造は、積載部と、連結部と、翼板とを備える。
連結部は、積載部の所定高さに設けられ、積載部の周囲に水平方向に突出する。
翼板は、地面に対して水平に設置され、積載部が直立に翼板を貫通する。
積載部は連結部を通して翼板に載せられるため、翼板によって積載部が積載荷重を載せるときの安定性を確保することができる。
【０００６】
好ましくは、翼板は挿入穴が設けられる。積載部は、断面輪郭が挿入穴の内輪郭に対応し、断面幅が挿入穴の直径に対応する。積載部は挿入穴に貫入されて地面に埋め込まれる。
【０００７】
好ましくは、連結部はほぞであり、積載部の所定高さにほぞに対応するほぞ穴が設けられ、ほぞがほぞ穴に連結して翼板に載せられる。
【０００８】
好ましくは、ほぞは円柱状であり、ほぞ穴は円柱状の穴である。
【０００９】
好ましくは、ほぞは複数個設けられる。
【００１０】
好ましくは、連結部は、積載部の所定高さに挿入される鉄筋である。翼板は、鉄筋挿入、配筋、型枠、グラウト充填などの工程を経て、所定高さに成形される。上述工事によって、鉄筋は翼板が成形されるとともに、翼板内に結合される。こうして、積載部は鉄筋を通して翼板に載せて支えられる状態となる。
【００１１】
好ましくは、積載部は鉄筋コンクリート製の杭である。
【００１２】
好ましくは、積載部は鉄筋コンクリート製の架台である。
【００１３】
以上のように、積載部の設置予定地に先ず翼板を配置し、積載部を予定深さまで地面に打ち込み、そして、連結部によって積載部が翼板に載せられる状態となる。それゆえ、積載部を深部の支持層まで埋め込む必要がなく、地面に安定的に固定するため、基礎構造が地上構造を安定して支える効果を実現することができる。
【図面の簡単な説明】
【００１４】
【図１】本考案の第一実施形態による積載部が翼板に載せられる配置を示す斜視図である。
【図２】本考案の第一実施形態による積載部がほぞによって翼板に載せられる配置を示す上面図である。
【図３】本考案の第一実施形態による翼板が地面に設置され、且つ積載部が翼板を貫通して地面に打ち込まれる配置を示す断面図である。
【図４】本考案の第二実施形態による積載部が翼板に載せられる配置を示す斜視図である。
【図５】本考案の第二実施形態による積載部が翼板に載せられる配置を示す断面図である。
【図６】本考案の第三実施形態による積載部が翼板に載せられる配置を示す斜視図である。
【図７】本考案の第三実施形態による積載部が翼板に載せられる配置を示す断面図である。
【考案を実施するための形態】
【００１５】
（第一実施形態）
本考案の上述内容に表示された核心的創作を説明するため、実施形態を挙げた。実施形態では、各部材を説明しやすい比率、サイズ、変形量もしくは位置移動量に基づき表示されており、実際の部材に基づき表示されているわけではないことを先に述べておく。
【００１６】
図１から図３に示すとおり、本考案の第一実施形態による翼板型基礎構造１００は、翼板１０、積載部２０、及び複数の連結部を備える。第一実施形態における連結部はほぞ３０とする。
【００１７】
翼板１０は平板状を呈し、積載部２０の設置予定地に設けられる。第一実施形態における翼板１０は挿入穴１１が設けられる。第一実施形態における翼板１０は方形の板であり、但し、これに制限されるものではなく、円形板又はその他の形状の板でもよい。
【００１８】
第一実施形態における積載部２０は杭である。積載部２０は、断面輪郭が挿入穴１１の内輪郭に対応させ、断面幅が挿入穴１１の直径に対応させる。積載部２０は挿入穴１１に挿入して、地面に打ち込まれる。さらに、第一実施形態における積載部２０の杭は、断面輪郭が円柱形とし、それに対応する挿入穴１１の内輪郭も円状とするが、但し、これに制限されるものではない。
【００１９】
複数のほぞ３０は、積載部２０に所定高さに設けられ、さらに翼板１０に向かって積載部２０の径方向に突出する。それゆえ、積載部２０は、複数のほぞ３０によって翼板１０に載せられ、さらに沈んでしまうことがない。
第一実施形態においては三つのほぞ３０を備え、積載部２０の所定高さには三つのほぞ穴２１を有し、三つのほぞ３０が三つのほぞ穴２１内に連結される。また、第一実施形態における三つのほぞ３０は、積載部２０上にそれぞれ１２０度の間隔をあけて設置されるが、ほぞ３０の数量と間隔の角度はこれに制限されるものではない。さらに、第一実施形態における各ほぞ３０は円柱形を呈し、各ほぞ穴２１はそれに対応する円柱状の穴とする。なお、所定高さは固定するものではなく、積載部２０が設置される場所の地盤及び深さによって決められるので、これに制限されるものではない。
【００２０】
地上構造の支持が求められる際（例えば、ソーラーパネルシステムを支える支持架台）、本考案における積載部２０は、地面に打ち込まれて基礎構造となる。より詳しく言うと、まずは、翼板１０が積載部２０の設置予定地に配置され、そして、積載部２０は、翼板１０を貫通して、外力が与えられて地面に打ち込まれる。
積載部２０が予定深さまで打ち込まれるとき、積載部２０は、ほぞ３０の設置によって、翼板１０に載せられる状態となる。翼板１０の面積が積載部２０の断面積より大きく、かつ積載部２０が地面上で翼板１０の支持を受けるがゆえに、積載部２０は深部の支持層まで打ち込まれる必要がない。積載部２０が翼板１０によって安定して支持されるため、基礎構造は、安定して地上構造を効果的に支持することができる。
【００２１】
（第二実施形態）
また、図４、図５に示すとおり、本考案の第二実施形態による翼板型基礎構造２００は、翼板１０、積載部２０、及び複数の連結部を備える。第一実施形態との主な相違は、第一実施形態における翼板１０は予め製作した定型形態であるのに対し、第二実施形態の翼板１０は後で製作する形態である。
第二実施形態において、連結部は鉄筋３０Ａである。前述の「後で製作する形態」において、鉄筋３０Ａが積載部２０の所定高さに挿入されて、翼板１０は、配筋、型枠、グラウト充填等の工程によって、成形されて所定高さに固定される。また、鉄筋３０Ａが、翼板１０の成形工程とともに、翼板１０の中に結合される（第二実施形態における鉄筋３０Ａは翼板１０の下寄り）ことによって、積載部２０は、鉄筋３０Ａを通して翼板１０に支えられる状態となる。以上のように第二実施形態も第一実施形態と同様に、基礎構造は、安定して地上構造を効果的に支持することができる。
【００２２】
（第三実施形態）
さらに図６、図７に示す通り、本考案の第三実施形態による翼板型基礎構造３００は、翼板１０、積載部２０Ａ、及び複数の連結部を備える。この複数の連結部は第一実施形態と同様、ほぞ３０であるが、第一実施形態との主な相違は、積載部２０Ａは、断面輪郭が方形である架台であり、挿入穴１１の内輪郭が方形状を呈することにある。
第三実施形態における積載部２０Ａにも、ほぞ３０に対応させて連結するほぞ穴２１Ａが設けられる。以上のように提供される翼板型基礎構造３００も、第一実施形態と同様の支持効果を達成する。なお、第三実施形態のほぞ３０は、第二実施形態に示した「後で製作する形態」に替えてもよく、これも同じく積載部２０Ａは翼板１０に載せられて効果的に支持されることができる。
【００２３】
以上に挙げられた実施形態は本考案の説明に用いられたものであり、本考案を限定するものではない。よって、本考案の精神を逸脱しない限りいかなる修正や変化はすべて本考案の請求範囲内に包含されるものとする。
【符号の説明】
【００２４】
１００  翼板型基礎構造
２００  翼板型基礎構造
３００  翼板型基礎構造
１０  翼板
１１  挿入穴
２０  積載部
２１  ほぞ穴
３０  ほぞ
２０Ａ  積載部
２１Ａ  ほぞ穴
３０Ａ  鉄筋
【図１】
0003224625.tif 000003
【図２】
0003224625.tif 000004
【図３】
0003224625.tif 000005
【図４】
0003224625.tif 000006
【図５】
0003224625.tif 000007
【図６】
0003224625.tif 000008
【図７】
0003224625.tif 000009